(57)【要約】      （修正有）【課題】受験者の解答画像を、正解データに基づく画像との類似度が高い順に並べて表示することが可能な採点支援装置採点支援システム、採点支援方法及びプログラムを提供する。【解決手段】採点支援システムにおいて、画像形成装置１０は、設問に対応して正解データを記憶する記憶部と、複数の答案画像データから、設問の解答画像データを抽出する抽出部と、正解データに基づく画像データと、解答画像データとの類似度を判定する判定部と、解答画像データを表示する表示部と、解答画像データを、判定部により判定された類似度の高い順に並べて表示部に表示させる制御部と、を備える。【選択図】図２
2020060867.tif 000002
【特許請求の範囲】
【請求項１】
設問に対応して正解データを記憶する記憶部と、
複数の答案画像データから、前記設問の解答画像データを抽出する抽出部と、
前記正解データに基づく画像データと、前記解答画像データとの類似度を判定する判定部と、
前記解答画像データを表示する表示部と、
前記解答画像データを、前記判定部により判定された類似度の高い順に並べて前記表示部に表示する制御部と、
を備えたことを特徴とする採点支援装置。
【請求項２】
前記制御部は、表示された解答画像データに対する採点結果を示す採点結果情報を、前記記憶部に記憶する制御を行うことを特徴とする請求項１に記載の採点支援装置。
【請求項３】
前記設問毎に、設問に対応する前記採点結果情報を出力する出力部を更に備えることを特徴とする請求項２に記載の採点支援装置。
【請求項４】
前記答案画像データに、前記設問毎に、設問に対応する前記採点結果情報に基づく画像を付加した画像を前記表示部に表示する採点結果表示部を更に備えることを特徴とする請求項２に記載の採点支援装置。
【請求項５】
給紙部と、
画像形成部と
前記画像形成部に、前記採点結果情報に基づく出力用画像を形成し、前記給紙部により給紙された用紙に前記出力用画像を出力する処理を行う採点結果印字処理部と、
を更に備えることを特徴とする請求項２に記載の採点支援装置。
【請求項６】
給紙部と、
画像形成部と、
前記答案画像データに、前記採点結果情報に基づく画像を重畳した出力用画像を生成し、前記画像形成部に、前記給紙部により給紙された用紙に前記出力用画像を出力する処理を行う印字処理部と、
を更に備えることを特徴とする請求項２に記載の採点支援装置。
【請求項７】
端末装置と、サーバ装置とを含む採点支援システムであって、
前記端末装置は、
表示部と、
前記サーバ装置に、設問に対応する正解データと、答案画像データとを送信する送信部と、
を備え、
前記サーバ装置は、
前記答案画像データから解答画像データを抽出する抽出部と、
前記正解データに基づく画像データと、前記解答画像データとの類似度を判定する判定部と、
前記解答画像データを、前記判定部により判定された類似度の高い順に並べて、前記表示部に表示する制御部と、
を備えたことを特徴とする採点支援システム 。
【請求項８】
設問に対応して正解データを記憶する記憶ステップと、
複数の答案画像データから、前記設問の解答画像データを抽出する抽出ステップと、
前記正解データに基づく画像データと、前記解答画像データとの類似度を判定する判定ステップと、
前記解答画像データを表示する表示ステップと、
前記解答画像データを、前記判定ステップにより判定された類似度の高い順に並べて表示する制御ステップと、
を含むことを特徴とする採点支援方法。
【請求項９】
コンピュータに、
設問に対応して正解データを記憶する記憶機能と、
複数の答案画像データから、前記設問の解答画像データを抽出する抽出機能と、
前記正解データに基づく画像データと、前記解答画像データとの類似度を判定する判定機能と、
前記解答画像データを表示する表示機能と、
前記解答画像データを、前記判定機能により判定された類似度の高い順に並べて表示する制御機能と、
を実現させることを特徴とするプログラム。
【発明の詳細な説明】
【技術分野】
【０００１】
本発明は、採点支援装置等に関する。
【背景技術】
【０００２】
従来、学校等の施設において、筆記による試験が実施されている。この、手書き形式による筆記試験の答案を採点する際、採点者は模範解答との照合作業に大きな負担がかかっていた。このような課題に対して、採点を容易ならしめる技術が提案されている。
【０００３】
例えば、各地区支部は、答案用紙の答案データを本部に送信し、本部は、択一式設問や簡易の記述式設問について自動採点処理を実行するとともに、記述式設問や論述式設問について、設問毎に、当該設問の採点担当者の採点者端末に答案データ中の当該設問部分を表示し、採点処理を実行させる。更に、本部は、最終的に答案用紙上に採点結果として印字される印字データを各地区支部に送信する。各地区支部は、答案用紙上に採点結果の印字データを印字したものを各受験者に返却するといった答案採点方法が提案されている（例えば、特許文献１参照）。
【先行技術文献】
【特許文献】
【０００４】
【特許文献１】特開２００４−６９７４６号公報
【発明の概要】
【発明が解決しようとする課題】
【０００５】
しかし、特許文献１に記載の技術であっても、採点者が、受験者１人ずつの答案を確認し、答案の数だけ厳密な正誤判断に迫られることには変わりはなく、負担が大きかった。
【０００６】
また、更に容易な解決法としてマークシート形式の試験が一般的に知られているが、マークシート形式の試験には実施のために専用の用紙と採点装置が必要であり、例えば公立の小学校で日常的に行われているような試験には不適切であった。
【０００７】
上述した課題に鑑み、本発明は、受験者の解答画像を、正解データに基づく画像との類似度が高い順に並べて表示することが可能な採点支援装置等を提供することを目的とする。
【課題を解決するための手段】
【０００８】
上述した課題を解決するために、本発明の採点支援装置は、
設問に対応して正解データを記憶する記憶部と、
複数の答案画像データから、前記設問の解答画像データを抽出する抽出部と、
前記正解データに基づく画像データと、前記解答画像データとの類似度を判定する判定部と、
前記解答画像データを表示する表示部と、
前記解答画像データを、前記判定部により判定された類似度の高い順に並べて前記表示部に表示する制御部と、
を備えたことを特徴とする。
【０００９】
本発明の採点支援システムは、
端末装置と、サーバ装置とを含む採点支援システムであって、
前記端末装置は、
表示部と、
前記サーバ装置に、設問に対応する正解データと、答案画像データとを送信する送信部と、
を備え、
前記サーバ装置は、
前記答案画像データから解答画像データを抽出する抽出部と、
前記正解データに基づく画像データと、前記解答画像データとの類似度を判定する判定部と、
前記解答画像データを、前記判定部により判定された類似度の高い順に並べて、前記表示部に表示する制御部と、
を備えたことを特徴とする。
【００１０】
本発明の採点支援方法は、
設問に対応して正解データを記憶する記憶ステップと、
複数の答案画像データから、前記設問の解答画像データを抽出する抽出ステップと、
前記正解データに基づく画像データと、前記解答画像データとの類似度を判定する判定ステップと、
前記解答画像データを表示する表示ステップと、
前記解答画像データを、前記判定ステップにより判定された類似度の高い順に並べて表示する制御ステップと、
を含むことを特徴とする。
【００１１】
本発明のプログラムは、
コンピュータに、
設問に対応して正解データを記憶する記憶機能と、
複数の答案画像データから、前記設問の解答画像データを抽出する抽出機能と、
前記正解データに基づく画像データと、前記解答画像データとの類似度を判定する判定機能と、
前記解答画像データを表示する表示機能と、
前記解答画像データを、前記判定機能により判定された類似度の高い順に並べて表示する制御機能と、
を実現させることを特徴とする。
【発明の効果】
【００１２】
本発明によれば、受験者の解答画像を、正解データに基づく画像との類似度が高い順に並べて表示することが可能となる。正解データに基づく画像との類似度が高い解答画像ほど、正答に近い解答であると考えられる。したがって、採点者は、正答に近い解答画像が表示される位置に基づいて、採点を行うことが可能となる。その結果、採点者に対して、解答の正誤判断に対する負担を軽減させることが可能となる。
【図面の簡単な説明】
【００１３】
【図１】第１実施形態における画像形成装置の外観斜視図である。
【図２】第１実施形態における画像形成装置の機能構成を説明するための図である。
【図３】第１実施形態における正解データ記憶領域のデータ構成の一例を示した図である。
【図４】第１実施形態における採点データ記憶領域のデータ構成の一例を示した図である。
【図５】第１実施形態におけるメイン処理を説明するためのフロー図である。
【図６】第１実施形態における類似度判定処理を説明するためのフロー図である。
【図７】第１実施形態における解答画像データ並び替え処理を説明するためのフロー図である。
【図８】第１実施形態における採点処理を説明するためのフロー図である。
【図９】第１実施形態における動作例を示す図である。
【図１０】第１実施形態における動作例を示す図である。
【図１１】第１実施形態における動作例を示す図である。
【図１２】第１実施形態における動作例を示す図である。
【図１３】第１実施形態における動作例を示す図である。
【図１４】第２実施形態における採点結果出力処理を説明するためのフロー図である。
【図１５】第２実施形態における動作例を示す図である。
【図１６】第３実施形態における採点結果出力処理を説明するためのフロー図である。
【図１７】第４実施形態における採点結果出力処理を説明するためのフロー図である。
【発明を実施するための形態】
【００１４】
以下、本発明の実施の形態について、図面を参照して説明する。
【００１５】
［１．第１実施形態］
［１．１  全体構造］
図１（ａ）は、採点支援システム１の全体を示す図である。採点支援システム１は、画像形成装置１０と、端末装置２０とがネットワークＮＷを介して接続されている。端末装置２０は、例えば、採点用のプログラムをインストールしたコンピュータ、タブレット、スマートフォン等で実現されてもよい。ネットワークＮＷとしては、例えば、ＬＡＮ（Local Area Network）である。なお、ネットワークＮＷは、インターネット等の外部ネットワークや、その他の公知の接続方法によるネットワークであってもよい。
【００１６】
また、画像形成装置１０に、採点用のプログラムをインストールしたり、採点機能をアドインとして追加したりすることで、画像形成装置１０単体で採点システムを実現してもよい。
【００１７】
図１（ｂ）は、画像形成装置１０の外観斜視図である。画像形成装置１０の機能構成については後述するが、画像形成装置１０には、画像を入力するための画像入力部と、情報を表示する表示部と、利用者の操作を入力するための操作入力部を備えている。
【００１８】
本実施形態において、「試験」とは、受験者の能力等を検査することを目的として１又は複数の設問によって構成されるものであり、画像形成装置１０によって採点を行う対象となるものをいう。また、「受験者」とは、試験を受験する者をいう。受験者は、答案用紙に、設問毎に設問に対する解答を筆記によって記載する。ここで、「解答」とは、答案用紙に記載された内容のうち、設問に対応する記載内容のことをという。
【００１９】
また、「採点者」とは、採点支援システム１を用いて採点する者をいう。ここで、本実施形態において、「採点」とは、解答に対して正誤の判定を行うことをいい、また、「採点結果」とは、採点によって判定された結果をいう。
【００２０】
また、「正解」とは、設問に対して適切と考えられる内容をいう。採点結果には、解答と正解とが一致すると見做せる場合である正答と、解答と正解とが一致すると見做せない場合である誤答とを含む。なお、採点結果には、正答でも誤答でもないといった結果や、部分点を与えるといった結果を含めてもよい。
【００２１】
［１．２  機能構成］
画像形成装置１０の機能構成について、図２を参照して説明する。図２に示すように、画像形成装置１０は、制御部１００と、画像入力部１１０と、画像形成部１２０と、表示部１３０と、操作入力部１４０と、通信部１５０と、記憶部１６０とを備えて構成されている。
【００２２】
制御部１００は、画像形成装置１０の全体を制御するための機能部である。制御部１００は、各種プログラムを読み出して実行することにより各種機能を実現しており、例えば、１又は複数の演算装置（ＣＰＵ（Central Processing Unit））等により構成されている。
【００２３】
また、制御部１００は、記憶部１６０に記憶されたプログラムを読み出し、実行することにより、解答画像データ抽出部１０２、画像データ類似度判定部１０４、採点処理部１０６として機能する。各機能部については後述する。
【００２４】
画像入力部１１０は、画像形成装置１０に入力される画像データを読み取るための機能部である。例えば、スキャナといった原稿読取装置接続され、原稿読取装置から出力される画像データを入力する。また、ＵＳＢ（Universal Serial Bus）メモリや、ＳＤカード等の記憶媒体から画像データを入力してもよい。また、通信部１５０を介して、外部装置（例えば、端末装置２０）から受信した画像データを入力してもよい。
【００２５】
画像形成部１２０は、画像データに基づく出力データを記録媒体（例えば、記録用紙）に形成するための機能部である。例えば電子写真方式を利用したレーザプリンタ等により構成されている。例えば、図１の給紙トレイ（給紙部）１２２から記録用紙を給紙し、画像形成部１２０にて記録用紙の表面に画像が形成された後に排紙トレイ１２４から排紙される。
【００２６】
表示部１３０は、利用者に各種情報を表示するための機能部である。例えば、ＬＣＤ（Liquid crystal display）等により構成されている。また、操作入力部１４０は、利用者が各種操作を行うための機能部である。例えば、表示部１３０の上に重ねて設けられるタッチパネルによって構成される。タッチパネルによるタッチの検出は、静電誘導方式であったり、感圧方式であったり、公知の技術によって実現する。
【００２７】
なお、表示部１３０及び操作入力部１４０は、別体として形成されていても構わないことは勿論である。例えば、操作入力部１４０は、表示部１３０の近傍に設けられたハードキーであってもよい。また、表示部１３０は、ＰＣのモニタであったり、操作入力部１４０は、マウスやキーボードといった入力装置であったりしてもよい。
【００２８】
通信部１５０は、画像形成装置１０が外部機器と通信を行うための機能部である。例えば、無線ＬＡＮで利用されるＮＩＣ（Network Interface Card）や、ＬＴＥ（Long Term Evolution）／ＬＴＥ−Ａ（LTE-Advanced）／ＬＡＡ（License-Assisted Access using LTE）／５Ｇ回線に接続可能な通信モジュールにより構成される。
【００２９】
記憶部１６０は、画像形成装置１０の動作に必要な各種プログラムや、各種データを記憶する機能部である。記憶部１６０は、例えば、半導体メモリであるＳＳＤ（Solid State Drive）や、ＨＤＤ（Hard Disk Drive）等により構成される。
【００３０】
記憶部１６０には、正解データ記憶領域１６２と、答案画像データ記憶領域１６４と、採点データ記憶領域１６６とが確保される。
【００３１】
正解データ記憶領域１６２は、設問毎の正解を示した正解データを記憶する領域である。図３は、本実施形態における正解データの例を示した図である。図３に示すように、正解データは、設問を識別するための設問番号（例えば、「１」）と、設問に対応する正解を示す正解情報（例えば、「２」）とが記憶される。
【００３２】
なお、図３に示すように、設問番号は、「３−（１）」のように枝番を含む番号であってもよいし、「問一」のように数字以外によって表されていてもよいし、大問と小問とによって構成されていてもよい。また、正解情報は、数字以外にも、記号（例えば、「○」）や、平仮名・片仮名（例えば、「ア」）であってもよい。また、正答を示した画像データであってもよい。
【００３３】
答案画像データ記憶領域１６４は、画像入力部１１０を介して入力された答案用紙の画像データである答案画像データを記憶する領域である。答案画像データは、受験者毎に記憶される。また、答案画像データは、例えば、画像ファイルとして記憶される。画像ファイルには、受験者の氏名や受験番号をファイル名にしたり、属性として記憶したりする等の方法により、受験者と対応して記憶させる。なお、答案画像データは、ＰＤＦ（Portable Document Format）ファイルのように、複数の画像データを記憶可能なファイルとして記憶してもよいし、データベースに記憶してもよい。
【００３４】
採点データ記憶領域１６６は、採点した結果を示す採点データを記憶する記憶領域である。図４は、本実施形態における採点データの例を示した図である。図４に示すように、採点データ記憶領域として、設問を識別するための設問番号（例えば、「１」）と、受験者を識別するための受験番号（例えば、「１」）と、受験者の解答に対する採点結果を示す採点結果情報（例えば、「○」）とが記憶される。
【００３５】
受験番号は、受験者を識別できればよく、連番や、出席番号や、受験者名を記憶してもよい。また、採点結果情報は、正答か誤答かを判別できればよく、更に、正答ではないが誤答でもないことを示す情報や、部分点を示す情報が記憶されてもよい。なお、本実施形態では、採点結果情報として、正答を「○」、誤答を「×」、正答でも誤答でもない場合を「△」として記憶することとして説明する。
【００３６】
解答画像データ抽出部１０２は、答案画像データ記憶領域１６４に記憶された答案画像データから、設問に対する解答が記載された箇所を抽出することにより、答案画像データの一部分である解答画像データを出力する機能部である。
【００３７】
解答画像データは、例えば、答案用紙の書式に関する情報に基づいて、答案画像データから、設問に対応する解答が記載される領域を特定して、答案画像データの一部分を切り抜くことにより出力する。なお、解答を記載する箇所が、解答欄として所定の図形（例えば、矩形）によって示される場合は、矩形領域を認識することで、設問に対応する解答が記載される領域を特定してもよい。このとき、解答欄の周囲に記載されている文字を認識して、解答欄と対応する設問番号を特定してもよい。また、解答欄の周囲に、設問番号や解答欄の大きさ等を示す記号（例えば、設問番号を示す文字や、２次元コードや、１次元コード）が含まれる場合は、記号に基づいて設問に対応する解答が記載される領域を特定してもよい。
【００３８】
画像データ類似度判定部１０４は、２つの画像データの類似度を判定（算出）するための機能部である。２つの画像データの類似度を判定する方法は、公知の方法を用いればよい。例えば、２つの画像に含まれる特徴点や特徴量に基づいて類似度を判定してもよい。例えば、類似度として、完全に一致するときは「１００％」とし、完全に相違する場合は「０％」とした数値で出力する。なお、類似度の度合いに応じて数段階のクラスを予め設定しておき、どのクラスに属すかを出力されてもよい。
【００３９】
採点処理部１０６は、採点者による採点結果を、採点データとして採点データ記憶領域１６６に記憶したり、解答画像データと正解データに基づく画像との類似度に基づき、自動的に採点結果を決定したりするための機能部である。
【００４０】
［１．３  処理の流れ］
図５を参照して、本実施形態のメイン処理の流れについて説明する。はじめに、制御部１００は、正解データを正解データ記憶領域１６２に記憶する（ステップＳ１０２）。正解データは、採点者によって、設問毎に入力された正答に基づき記憶する。例えば、設問番号と設問に対する正解とを対応付けたデータが入力されることにより、入力されたデータに基づいた正解データを正解データ記憶領域１６２に記憶する。
【００４１】
つづいて、制御部１００は、画像入力部１１０を介して入力された答案画像データを、答案画像データ記憶領域１６４に記憶する（ステップＳ１０４）。
【００４２】
この段階で、記憶部１６０には、正解データと、答案画像データとが記憶されている。採点者は、正解データと、答案画像データとを比較することで、採点を行う。まず、制御部１００は、設問の選択を行う（ステップＳ１０６）。設問の選択とは、表示部１３０に表示する正解データと、答案画像データとを、設問番号に基づいて決定することをいう。設問番号は、採点者によって指定される。なお、制御部１００が、初めてステップＳ１０６の処理を行う場合は、最初の設問番号を制御部１００が選択してもよい。
【００４３】
つづいて、解答画像データ抽出部１０２は、答案画像データから、ステップＳ１０６で選択した設問に対応する解答画像データを抽出する（ステップＳ１０８）。なお、解答画像データは、どの受験者の解答画像データであるかを識別可能とする。例えば、解答画像データ抽出部１０２は、解答画像データと、解答画像データの抽出元である答案画像データとを対応付けてもよいし、解答画像データに、受験番号を属性として付与してもよい。
【００４４】
つづいて、制御部１００は、類似度判定処理を実行する（ステップＳ１１０）。類似度判定処理は、画像データ類似度判定部１０４によって実行される処理である。類似度判定処理については、図６を参照して説明する。
【００４５】
はじめに、画像データ類似度判定部１０４は、ステップＳ１０６において選択された設問に対応する正解データを読み出し、正解画像データを生成する（ステップＳ１２２）。読み出した正解データに記憶された正解情報が文字の情報であれば、画像データ類似度判定部１０４は、正解情報に基づく正解画像データを生成する。また、読み出した正解データに記憶された正解情報が画像データであれば、そのまま正解画像データとして用いる。
【００４６】
次に、画像データ類似度判定部１０４は、ステップＳ１０８において抽出された解答画像データを１つ読み出し、正解画像データとの類似度を判定する（ステップＳ１２４→ステップＳ１２６）。
【００４７】
つづいて、画像データ類似度判定部１０４は、全受験者の解答画像データを読み出したか否かを判定し、全受験者の解答画像データを読み出した場合は、類似度判定処理を終了する（ステップＳ１２８；Ｙｅｓ）。
【００４８】
なお、全受験者の解答画像データを読み出していない場合は、ステップＳ１２４へ戻る（ステップＳ１２８；Ｎｏ→ステップＳ１２４）。このようにすることで、全受験者の解答画像データに対して、正解画像データとの類似度を判定することができる。
【００４９】
図５に戻り、つづいて、制御部１００は、解答画像データ並び替え処理を実行する（ステップＳ１１２）。解答画像データ並び替え処理については、図７を参照して説明する。
【００５０】
はじめに、制御部１００は、解答画像データを類似度順に並び替えるか否かを判定する（ステップＳ１３２）。例えば、制御部１００は、並び替えに関するモードとして、類似度順モードか、受験番号順モードかを記憶していてもよい。なお、並び替えに関するモードは採点者によって選択可能であってもよい。
【００５１】
解答画像データを類似度順に並び替える場合は、制御部１００は、ステップＳ１２６によって判定された類似度に基づき、類似度の高い順に解答画像データを配列し、表示部１３０に表示する（ステップＳ１３２；Ｙｅｓ→ステップＳ１３４）。解答画像データを類似度順に並び替えない場合は、制御部１００は、受験番号の昇順に解答画像データを配列し、表示部１３０に表示する（ステップＳ１３２；Ｎｏ→ステップＳ１３６）。解答画像データを並び替えたら、解答画像データ並び替え処理は終了する。
【００５２】
なお、解答画像データを並び替える順番は、上述した方法以外であってもよい。例えば、解答画像データを受験番号の降順に並び替えて表示してもよいし、解答に記載されている文字数が多い順又は少ない順から表示してもよい。
【００５３】
図５に戻り、つづいて、制御部１００は、採点処理を実行する（ステップＳ１１４）。採点処理は、採点処理部１０６によって実行される処理である。採点処理については、図８を参照して説明する。
【００５４】
はじめに、採点処理部１０６は、採点者によって採点するか否かを判定する（ステップＳ１４２）。例えば、採点処理部１０６は、採点に関するモードを記憶し、採点者が採点を行うモードか、画像形成装置１０によって正誤を決定するモードかの何れかのモードを記憶する。なお、採点に関するモードは採点者によって選択可能であってよい。
【００５５】
採点者によって採点を行う場合は、つづいて、採点処理部１０６は、採点者の操作により、１又は複数の解答画像データを含む選択範囲が指定されたか否かを判定する（ステップＳ１４２；Ｙｅｓ→ステップＳ１４４）。選択範囲を指定する操作とは、例えば、操作入力部１４０を介して、採点者によってスワイプ操作や、ドラッグ操作がされることにより、１又は複数の連続した解答画像データを選択する操作である。なお、２つの解答画像データを選択する操作であってもよい。この場合は、採点処理部１０６は、採点者によって選択された解答画像データ及び選択された解答画像データの間に含まれる解答画像データを選択範囲とする。また、１つの解答画像データを選択する操作であってもよい。この場合は、最も類似度の高い解答画像データから選択された解答画像データの間に含まれる解答画像データと、選択された画像データとを選択範囲とする。なお、選択範囲は、２以上含まれてもよい。また、採点者は、端末装置２０を用いて、選択範囲を指定する操作を行ってもよい。
【００５６】
選択範囲が指定されたら、採点処理部１０６は、選択範囲に基づいて、解答画像データに対する採点結果を決定する（ステップＳ１４４；Ｙｅｓ→ステップＳ１４６）。例えば、選択範囲に含まれる解答画像データに対して一括して正答とし、選択されなかった解答画像データを誤答として決定する。なお、選択範囲に含まれる解答画像データに対して一括して誤答とし、選択されなかった解答画像データを正答として決定してもよい。指定された範囲に含まれる解答画像データを正答とするか、誤答とするかは、予め決められていてもよいし、採点者によって切り替え可能としてもよい。
【００５７】
また、ステップＳ１４２において、採点者による採点をせず、画像形成装置１０によって正誤を決定すると判定した場合は、採点処理部１０６は、所定の類似度以上の解答画像データを正答として決定する（ステップＳ１４２；Ｎｏ→ステップＳ１４８）。なお、所定の類似度未満の解答画像データは誤答とする。このようにして採点結果を決定する。閾値とする類似度は予め決められていてもよいし、採点者によって閾値が指定されたり、切り替えられたりしてもよい。
【００５８】
つづいて、採点処理部１０６は、採点者によって、採点結果を修正する操作がされたか否かを判定する（ステップＳ１５０）。採点結果を修正する操作がされた場合は、操作の対象となった解答画像データに対する採点結果を修正する（ステップＳ１５０；Ｙｅｓ→ステップＳ１５２）。採点結果の修正とは、採点結果が決定されていない回答画像データに対して採点結果を決定したり、既に決定された採点結果を、別の採点結果に変更したりすることをいう。また、採点結果を修正する操作とは、採点結果の修正のために、一又は複数の解答画像データをタッチ等により選択する操作である。採点結果を修正する操作は、操作入力部１４０を介して入力されてもよいし、端末装置２０を用いて入力されてもよい。
【００５９】
つづいて、採点処理部１０６は、解答画像データ毎に決定された採点結果を、採点データとして記憶する。具体的には、採点処理部１０６は、ステップＳ１０６で選択した設問の設問番号と、解答画像データに対応する受験番号と、ステップＳ１４６及びステップＳ１５２によって決定された採点結果を、採点データとして記憶する（ステップＳ１５４）。そして、採点処理を終了する。
【００６０】
図５に戻り、つづいて、制御部１００は、採点者によって、解答画像データの並び替え方法を変更する操作がされた場合は、並び替えの方法を変更して（例えば、並び替えに関するモードを変更する）ステップＳ１１２に戻る（ステップＳ１１６；Ｙｅｓ→ステップＳ１１２）。
【００６１】
また、制御部１００は、採点終了操作がされたか否かを判定し、制御部１００は、採点終了操作がされた場合は、採点結果出力処理を実行する（ステップＳ１１８；Ｙｅｓ→ステップＳ１２０）。採点終了操作とは、採点者によって、採点を終了する指示を行うための操作である。例えば、制御部１００は、表示部１３０に、採点を終了するための終了ボタンを表示し、終了ボタンが採点者によって選択された場合には、採点終了操作がされたと判定する。
【００６２】
また、採点結果出力処理とは、採点データを出力する処理である。本実施形態では、採点データ記憶領域１６６に記憶されている採点データを出力（印字）する。例えば、採点データを、リストとして出力する。採点者は、印字された採点データ（リスト）を見ながら、答案用紙に採点結果を書き写すことができる。なお、図４に示したような、設問番号、受験番号の順に並べられた状態で出力すると、採点者が、答案用紙に採点結果を書き写しづらいと考えられる。そこで、採点結果出力処理において、受験番号、設問番号の順に並び替えた採点データを出力してもよい。また、採点結果を、端末装置２０に送信してもよい。
【００６３】
採点終了操作がされなかった場合は、ステップＳ１０６へ戻る（ステップＳ１１８；Ｎｏ→ステップＳ１０６）。採点終了操作以外の操作とは、例えば、別の設問が選択される操作である。この場合は、採点者は、他の設問について、解答画像データに対する採点を行うことが所望されていると考えられる。そこで、制御部１００は、ステップＳ１０６からの処理を実行することにより、他の設問についても、解答画像データに対する採点が可能なように処理を実行する。このようにすることで、全ての設問に対する解答画像データに、採点結果を決定することが可能となる。
【００６４】
［１．４  動作例］
第１実施形態における採点処理における動作例について説明する。図９は、解答画像データに対する採点結果を決定するための表示画面Ｗ１００の表示例である。表示画面Ｗ１００には、解答画像データを配列して表示した領域Ｅ１００が含まれる。また、選択されている設問の設問番号を表示する領域Ｅ１０２が含まれる。
【００６５】
領域Ｅ１００には、領域Ｅ１０２に表示されている設問に対応する、受験者全ての解答画像データが配列して表示される。なお、領域Ｅ１００の大きさに合わせて、受験者全ての解答画像データを縮小・拡大して表示してもよい。また、解答画像データの大きさを所定の大きさで表示し、領域Ｅ１００に表示しきれない解答画像データを表示するために、領域Ｅ１００はスクロール表示可能としたり、ページ切り替えを可能としたりしてもよい。
【００６６】
なお、図９に示した表示画面Ｗ１００は、受験者が１５人であり、設問３−（２）の解答画像データが、横５枚、縦３枚の、合計１５枚分表示されている場合を示している。この中で、左上の解答画像データが、正解画像データとの類似度が最も高い。そして、１列目の右の解答画像データほど、正解画像データとの類似度が低くなる。また、２段目の最も左の解答画像データは、１段目の最も右の解答画像データと比べて、更に、正解画像データとの類似度が低い。そして、右下の解答画像データは、正解画像データとの類似度が最も低い解答画像データである。
【００６７】
なお、解答画像データは、図９のように、格子状に並べなくてもよく、横又は縦１列に並べてもよい。また、解答画像データには、類似度や、受験番号といった情報を表示してもよい。記憶部１６０に、受験者名の情報が記憶されている場合は、受験者名を表示してもよい。また、解答画像データに表示する情報は、採点者によって選択可能であってもよい。
【００６８】
領域Ｅ１００の横には、正解データに基づく画像データ（模範解答）を表示する領域Ｅ１０４と、指定した範囲に含まれる解答画像データを正答とする指示をするための範囲一括○ボタンＢ１００と、解答画像データごとに正答、正答でも誤答でもない、誤答の何れかを決定するためのボタンＢ１０２〜Ｂ１０６と、直前に行った操作を取り消すための取り消しボタンＢ１０８とが含まれる。なお、既に決定した採点結果を消去するための消去ボタンや、指定した範囲の採点結果を消去するための範囲消去ボタンや、その設問における採点結果を全て消去するための初期化ボタンといった、採点の操作に必要なボタンを、表示画面Ｗ１００に更に備えられていてもよい。
【００６９】
領域Ｅ１００の下には、次の設問を選択するためのボタンＢ１１０と、前の設問を選択するためのボタンＢ１１２と、任意の設問を選択するためのボタンＢ１１４と、採点を終了するためのボタンＢ１１６とが表示される。ボタンＢ１１４が選択されたときは、制御部１００は、表示部１３０に、利用者に設問番号を選択させたり、設問番号を入力可能な画面を表示させたりして、利用者に表示させたい設問を選択させればよい。
【００７０】
図１０は、範囲一括○ボタンＢ１００を選択した後に、領域Ｅ１００に表示された解答画像データのうち、左上の解答画像データを手Ｈ１１０の指によって選択している状態を示した図である。
【００７１】
つづいて、図１１は、領域Ｅ１００に指を接触させたまま、左下の解答画像データを手Ｈ１２０の指によって選択している状態を示した図である。この状態は、左上の解答画像データが表示された位置から、左下の解答画像データが表示された位置まで、スワイプ操作がされた状態である。この場合は、左上の解答画像データ及び左下の解答画像データと、左上の解答画像データから左下の解答画像データの間に含まれる解答画像データである、１１の解答画像データが選択される。選択されている解答画像データは、領域Ｅ１２０に示すように、背景色を付したり、選択範囲の外枠に枠線を表示したりすることにより識別表示される。
【００７２】
つづいて、図１２は、領域Ｅ１００から指を離した状態を示した図である。選択された解答画像データに対して、一括して正答であるとして決定される。したがって、表示画面Ｗ１３０に示すように、領域Ｅ１２０に含まれる解答画像データに対しては、正答を表す「○」の記号が表示される。
【００７３】
図１３は、解答画像データ毎に採点結果を修正した状態を示した図である。採点結果の修正は、ボタンＢ１０２〜Ｂ１０６が選択された後に、領域Ｅ１００に含まれる解答画像データが選択されることにより行われる。採点結果の修正は、例えば、領域Ｅ１２０に含まれる解答画像データであっても、正答ではない文字が記載されていたり、文字が間違っていたりする等の理由により正答としない場合に行う。また、領域Ｅ１２０に含まれない解答画像データであっても、正答とみなせる解答画像データを正答とする場合に行う。
【００７４】
本実施形態によれば、設問毎に、受験者の解答画像データを、正解データに基づく画像データ（模範解答）との類似度が高い順に並び替えた上で、採点者は模範解答と、解答画像データとを照合して採点を行うことができる。
【００７５】
解答画像データは、正解データに基づく画像データとの類似度が高い順に並び替えられることにより、正答と考えられる解答画像データと、誤答と考えられる解答画像データとがそれぞれ両極に集まる。したがって、採点者は、解答画像データが表示された位置に基づき、おおよその正誤判定を予測することができ、かつ、広域的な目視確認の後に、範囲指定で一気に正誤判定を行い、採点を行うことができる。したがって、採点者の負担を軽減することが可能となる。
【００７６】
また、採点支援システム１は、通常使用している答案用紙と、一般的に流通している画像取り込み装置により構成されるため、マークシート形式の試験を採点する装置を購入するなどといった、追加投資をする必要がない。
【００７７】
なお、本実施形態では、採点支援システム１には、画像形成装置１０が含まれて構成されることとして説明したが、画像形成装置１０の代わりに、サーバ装置によって構成されてもよい。このようにすることで、サーバ装置によって、採点を行うためのウェブサービスやＡＳＰ（アプリケーションサービスプロバイダ）が提供可能となる。
【００７８】
この場合は、端末装置２０は、サーバ装置に対して正解データや、答案画像データを送信する。サーバ装置は、正解データと答案画像データを記憶し、図９〜図１３で示したような採点画面（採点用インターフェイス）を提供する。採点者は、端末装置２０を介して、サーバ装置によって提供（表示）される採点画面を見ながら、採点結果を決定する。採点が終わったら、採点者は、サーバ装置から、採点データを受信したり、採点データが表示されたりすることにより、採点結果を確認することが可能となる。
【００７９】
また、画像形成装置１０単体で採点システムを実現してもよいとして説明したが、コンピュータによって実現してもよい。コンピュータで採点システムを実現するためには、コンピュータには、答案用紙を取り込むためのスキャナや、採点画面や採点データを出力するための表示装置、採点データを出力するためのプリンタ等と接続がされる。なお、コンピュータと、スキャナや表示装置といった装置を一体化した、いわゆる採点機（採点処理装置）として、本実施形態の採点システムを実現してもよい。
【００８０】
［２．第２実施形態］
つづいて、第２実施形態について説明する。第２実施形態は、第１実施形態と異なり、採点結果出力処理として、採点データを、表示部１３０に表示する実施形態である。第２実施形態おける画像形成装置１０の機能構成と、メイン処理の流れは、第１実施形態と同様であり、同一の機能部及び処理には同一の符号を付し、説明については省略する。
【００８１】
本実施形態における採点結果出力処理における処理の流れを、図１４を参照して説明する。はじめに、制御部１００は、採点結果の表示対象とする受験番号を決定する（ステップＳ２６２）。例えば、制御部１００が、初めてステップＳ２６２の処理を行う場合は、受験番号を昇順に並べたときに、最初に位置する受験番号を採点結果の表示対象とする受験番号として決定する。また、採点者の操作によって、採点結果の表示対象とする受験番号を指定された場合は、採点者の操作に基づいて、採点結果の表示対象とする受験番号を決定してもよい。
【００８２】
つづいて、制御部１００は、受験番号に対応する答案画像データを読み出し、更に、受験番号に対応する採点データを読み出す（ステップＳ２６４→ステップＳ２６６）。そして、答案画像データに対して、採点データに記憶された採点結果情報に基づく画像（例えば、○や×といった画像）を重畳（付加）して、表示部１３０に表示する（ステップＳ２６８）。このとき、制御部１００は、採点結果情報に基づく画像を、解答が記載された位置に対応して重畳させる。
【００８３】
つづいて、制御部１００は、採点者により、採点結果の表示対象とする受験番号を変更する操作がされた場合は、ステップＳ２６２に戻り、別の受験者の採点結果を表示する（ステップＳ２７０；Ｙｅｓ→ステップＳ２６２）。また、採点者により終了操作がされた場合は、採点結果出力処理を終了する（ステップＳ２７０；Ｎｏ→ステップＳ２７２；Ｙｅｓ）。終了操作がされなかった場合は、ステップＳ２６２に戻る（ステップＳ２７２；Ｎｏ→ステップＳ２６２）。
【００８４】
図１５は、本実施形態の採点結果出力処理によって、表示部１３０に表示される表示画面Ｗ２００の表示例である。表示画面Ｗ２００は、画像形成装置１０の表示部１３０に表示されてもよいし、端末装置２０が備える又は端末装置２０に接続された表示部に表示されてもよい。
【００８５】
表示画面Ｗ２００には、受験者の受験番号を表示する領域Ｅ２００と、領域Ｅ２００に表示された受験番号に対応する答案画像データを表示する領域Ｅ２０２とが含まれる。領域Ｅ２０２に表示される答案画像データには、採点データに記憶された採点結果情報に基づく画像が、解答毎に、解答が記載された位置に対応して、重畳して表示される。例えば、設問３−（２）の解答を記載する領域（解答欄）である領域Ｅ２０４には、筆記による解答「５」に、正答を示す採点結果である「○」が重畳して表示される。
【００８６】
また、領域Ｅ２０２の下には、次の受験者を選択するためのボタンＢ２００と、前の受験者を選択するためのボタンＢ２０２と、任意の受験者を選択するためのボタンＢ２０４と、採点結果の表示を終了するためのボタンＢ２０６とが表示される。
【００８７】
採点者は、表示画面Ｗ２００を見ながら答案用紙に採点結果を書き写すことにより、答案用紙に対して、採点結果を書き入れることができる。
【００８８】
本実施形態によれば、採点者は、答案用紙に近い表示を見ながら採点結果を書き写すことができ、利便性の向上が期待できる。
【００８９】
なお、本実施形態では、採点処理の画面例として、図９に示した表示画面のように、設問毎に、複数の受験者の解答画像データを並べる画面を表示することとして説明したが、受験者別の答案画像データを表示する画面を表示できるようにしてもよい。すなわち、図９に示す表示画面Ｗ１００と、受験者別の答案画像データを表示する画面（例えば、図１５に示す表示画面Ｗ２００）と画面が切り替えられてもよい。受験者別の答案画像データを表示する画面においても、採点者は設問毎に採点結果を決定することが可能なようにする。このようにすることで、採点者は、設問毎に採点するか、受験者毎に採点するかを選択しながら、採点を行うことが可能となる。
【００９０】
［３．第３実施形態］
つづいて、第３実施形態について説明する。第３実施形態は、第１実施形態と異なり、採点結果出力処理として、採点データを、答案用紙に出力する実施形態である。なお、答案用紙は、採点者によって、受験番号順に答案用紙が給紙されることにより、画像形成装置１０に取り込まれる。第３実施形態おける画像形成装置１０の機能構成と、メイン処理の流れは、第１実施形態と同様であり、同一の機能部及び処理には同一の符号を付し、説明については省略する。
【００９１】
本実施形態における採点結果出力処理における処理の流れを、図１６を参照して説明する。まず、制御部１００は、取り込んだ答案用紙の枚数を表す変数ｎに１を代入する（ステップＳ３６２）。つづいて、制御部１００は、採点者によって給紙された答案用紙を１枚取り込み（ステップＳ３６４）、ｎ番目の受験者の採点データを読み出す（ステップＳ３６６）。
【００９２】
つづいて、制御部１００は、採点データに記憶された採点結果情報に基づく画像を、答案用紙に印字する（ステップＳ３６８）。具体的には、制御部１００は、採点データに記憶された採点結果情報に基づき、設問毎に、解答が記載された位置に、採点結果を印字するための画像を生成する。そして、制御部１００は、画像形成部１２０を介して、生成した画像を答案用紙に形成することにより出力（印字）する。このようにすることで、答案用紙に採点結果が付加されて出力される。
【００９３】
つづいて、制御部１００は、全ての答案用紙を取り込んだか否かを判定し、全ての答案用紙を取り込んだ場合は、採点結果出力処理を終了する（ステップＳ３７０；Ｙｅｓ）。全ての答案用紙を取り込んでいない場合は、変数ｎに１を加算して、ステップＳ３６４へ戻る（ステップＳ３７０；Ｎｏ→ステップＳ３７２→ステップＳ３６４）。
【００９４】
なお、答案用紙の給紙は、１枚ずつ行われてもよいし、原稿自動送り装置（ＡＤＦ；Auto Document Feeder）によって給紙されてもよい。
【００９５】
また、答案画像データを記憶するステップであるステップＳ１０４において、答案用紙を読み込んだあとに、一度、答案用紙を画像形成装置１０の内部に保管するようにしてもよい。この場合は、採点処理が終了したあとに採点結果出力処理をすることにより、保管した答案用紙に採点結果情報に基づく画像が印字されて、排紙される。
【００９６】
本実施形態によれば、採点者が給紙した答案用紙に対して、画像形成装置１０が採点結果を印字する。したがって、採点者が採点結果を書き写す手間を省くことが可能となる。
【００９７】
［４．第４実施形態］
つづいて、第４実施形態について説明する。第４実施形態は、第１実施形態と異なり、採点結果出力処理として、答案画像データに採点結果を重畳（付加）させた画像を出力する実施形態である。第４実施形態おける画像形成装置１０の機能構成と、メイン処理の流れは、第１実施形態と同様であり、同一の機能部及び処理には同一の符号を付し、説明については省略する。
【００９８】
本実施形態における採点結果出力処理における処理の流れを、図１７を参照して説明する。まず、制御部１００は、排紙した用紙の枚数を表す変数ｎに１を代入する（ステップＳ４６２）。つづいて、制御部１００は、ｎ番目の受験者の採点データと、答案画像データとを読み出す（ステップＳ４６４→ステップＳ４６６）。
【００９９】
つづいて、制御部１００は、答案画像データに、採点データに記憶された採点結果情報に基づく画像を重畳させた画像を生成する。そして、制御部１００は、画像形成部１２０を介して、生成した画像を用紙に形成することにより出力（印字）する（ステップＳ４６８）。
【０１００】
つづいて、制御部１００は、全ての受験者の結果を出力したか否かを判定し、全ての受験者の採点結果を出力した場合は、採点結果出力処理を終了する（ステップＳ４７０；Ｙｅｓ）。全ての受験者の採点結果を出力していない場合は、変数ｎに１を加算して、ステップＳ４６４へ戻る（ステップＳ４７０；Ｎｏ→ステップＳ４７２→ステップＳ４６４）。
【０１０１】
本実施形態によれば、画像形成装置１０に記憶された情報に基づき、答案用紙の画像データに採点結果が重畳された画像が、用紙に出力される。したがって、採点者が答案用紙を給紙する必要がなくなる。
【０１０２】
［５．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。また、各実施形態における説明以外であっても、矛盾のない範囲において、ステップの順番を変更したり、一部のステップを省略したりしても構わない。
【０１０３】
また、上述した実施形態は、説明の都合上、それぞれ別に説明している部分があるが、技術的に可能な範囲で組み合わせて実行してもよいことは勿論である。
【０１０４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ等の記憶装置に格納され、必要に応じてＣＰＵによって読み出し、修正・書き込みが行なわれる。
【０１０５】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ （Blu-ray Disk） 等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１０６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１０７】
１  採点支援システム
１０  画像形成装置
１００  制御部
１０２  解答画像データ抽出部
１０４  画像データ類似度判定部
１０６  採点処理部
１１０  画像入力部
１２０  画像形成部
１３０  表示部
１４０  操作入力部
１５０  通信部
１６０  記憶部
１６２  正解データ記憶領域
１６４  答案画像データ記憶領域
１６６  採点データ記憶領域
２０  端末装置
【図１】
2020060867.tif 000003
【図２】
2020060867.tif 000004
【図３】
2020060867.tif 000005
【図４】
2020060867.tif 000006
【図５】
2020060867.tif 000007
【図６】
2020060867.tif 000008
【図７】
2020060867.tif 000009
【図８】
2020060867.tif 000010
【図９】
2020060867.tif 000011
【図１０】
2020060867.tif 000012
【図１１】
2020060867.tif 000013
【図１２】
2020060867.tif 000014
【図１３】
2020060867.tif 000015
【図１４】
2020060867.tif 000016
【図１５】
2020060867.tif 000017
【図１６】
2020060867.tif 000018
【図１７】
2020060867.tif 000019